(57)【特許請求の範囲】
【請求項１】
固定物に着脱可能に取付けることができる固定具と、この固定具に取付けられた遊び紐と、この遊び紐の端部に取付けられたゴム紐と、このゴム紐に位置調整可能に取付けられたスイング練習用の球と、前記ゴム紐に取付けられた、使用者の足首部位に着脱可能に取付けることができる接続紐とからなることを特徴とするゴルフスイング練習具。
【請求項２】
固定物に着脱可能に取付けることができる固定具と、この固定具に取付けられたゴム紐と、このゴム紐に位置調整可能に取付けられたスイング練習用の球と、前記ゴム紐に取付けられた、使用者の足首部位に着脱可能に取付けることができる接続紐とからなることを特徴とするゴルフスイング練習具。
【発明の詳細な説明】
【０００１】
【発明の属する技術分野】
本発明はゴルフの球を正確に打つことができる、練習に使用されるゴルフスイング練習具に関する。
【０００２】
【従来の技術】
従来、ゴルフスイングの練習をする場合、河原やゴルフ練習場に出向いたり、私設のネットを有する練習器具を使用したり、あるいは室内外で素振りの練習をしている。
【０００３】
【発明が解決しようとする課題】
従来のゴルフスイング練習で空振りをなくし正確に球を打つ練習をするためには、ゴルフ練習場等の専用施設や河原等の広い場所、あるいは練習器具のある限られた場所に限定され、練習場等に出向く時間や準備をする手数がかかり、空いている時間に手軽に練習をすることができないという欠点があるとともに、素振りの練習だけでは球を正確に打つという感覚や技術を得ることはできないという欠点があった。
【０００４】
本発明は以上のような従来の欠点に鑑み、屈んだり腰を曲げたりせずに球を打つことができる位置に容易に置くことができ、球を正確に打つことを容易に習得することができるとともに、練習をしたい時にはどこででも手数や時間をかけずに、誰もが安全に楽しく使用することができるゴルフスイング練習具を提供することを目的とする。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は固定物に着脱可能に取付けることができる固定具と、この固定具に取付けられた遊び紐と、この遊び紐の端部に取付けられたゴム紐と、このゴム紐に位置調整可能に取付けられたスイング練習用の球と、前記ゴム紐に取付けられた、使用者の足首部位に着脱可能に取付けることができる接続紐とでゴルフスイング練習具を構成している。
【０００７】
【発明の実施の形態】
以下、図面に示す実施の形態により、本発明を詳細に説明する。
【０００８】
図１ないし図５に示す本発明の第１の実施の形態において、１はゴルフの球を正確に打つ練習を行なうことができる本発明のゴルフスイング練習具で、このゴルフスイング練習具１は、例えば椅子の脚２に外れないように着脱することができる固定具３と、この固定具３に着脱可能に取付けられた遊び紐４と、この遊び紐４の一端部に着脱可能に結ばれたゴム紐５と、このゴム紐５に取付けられたスイング練習用の球６と、前記ゴム紐５の一端部に着脱可能に結ばれた使用者の足７、例えば足首部位に結ぶことができる接続紐８とで構成されている。
【０００９】
前記固定具３は伸縮することができるゴム材等で形成された、椅子の脚２の外周部に取付けることができるリング状の固定具本体９と、この固定具本体９に取付けられた前記遊び紐４を結ぶことができる結び紐１０とで構成されている。
【００１０】
前記スイング練習用の球６は前記ゴム紐５のほぼ中央部に、該ゴム紐５が貫通して位置調整できるように取付けられ、従来のゴルフボールと同様の大きさでぶつかっても怪我させたりすることのない弾力性のあるゴム材で形成されている。
【００１１】
上記構成のゴルフスイング練習具１は、図１に示すように、椅子の脚２にリング状の固定具本体９を外れないように取付け、使用者の足７に接続紐８を結んだ後、該接続紐８の結ばれた足７を引いて、球６は打つことができる位置にセットでき、使用者はゴルフクラブ１６を持ち、球６を打つ状態に構える。
【００１２】
球６を打った後、打たれた球６はゴム紐５に取付けられているので、あちらこちらに飛んでいくことはなく、遊び紐４および接続紐８の長さに加え、ゴム紐５が伸びきった長さの位置で止まる。
【００１３】
この状態で図２に示すように、接続紐８が結ばれた足７を移動させることで、球６を打つことができる位置に容易にセットすることができ、屈んで球６を拾わなくてもすぐに打つ準備をすることができる。
【００１４】
なお、前記遊び紐４、ゴム紐５および接続紐８の各接続部は着脱可能に取付けられているので、使用者の都合で各々の長さを自由に変えて、使用者の使い易い長さで使用できる、例えば短めにして子供用として使用してもよい。
【００１５】
また、遊び紐４で椅子の脚２等に結べるようにして、該遊び紐４に固定具としての機能を持たせてもよい。
【００１６】
【発明の異なる実施の形態】
次に、図６ないし図２８に示す本発明の異なる実施の形態につき説明する。なおこれらの本発明の異なる実施の形態の説明に当って、前記本発明の第１の実施の形態と同一構成部分には同一符号を付して重複して説明を省略する。
【００１７】
図６ないし図８に示す本発明の第２の実施の形態において、前記本発明の第１の実施の形態と主に異なる点は、遊び紐４を取付けることができる結び紐１０を有する一方の端部側の内側面および他方の端部側の外側面に縫着固定された面ファスナー１１を有する、両端部が重なり合うように覆うことができる帯状の固定具本体９Ａを用いた点で、このように形成された固定具３Ａを用いて構成したゴルフスイング練習具１Ａにしても、前記本発明の第１の実施の形態と同様な作用効果が得られる。
【００１８】
図９ないし図１１に示す本発明の第３の実施の形態において、前記本発明の第１の実施の形態と主に異なる点は、遊び紐４の端部に取付けられた椅子の脚２等に結んで固定することができる紐状の固定具本体９Ｂを用いた点で、このように形成された固定具３Ｂを用いたゴルフスイング練習具１Ｂを構成しても、前記本発明の第１の実施の形態と同様な作用効果が得られる。
【００１９】
図１２ないし図１３に示す本発明の第４の実施の形態において、前記本発明の第１の実施の形態と主に異なる点は、遊び紐４の端部に取付けられた地面１２等に固定することができるアンカーピン状の固定具本体９Ｃを用いた点で、このように形成された固定具３Ｃを用いたゴルフスイング練習具１Ｃにしても、前記本発明の第１の実施の形態と同様な作用効果が得られるとともに、室内だけでなく室外においても使用することができる。
【００２０】
図１４ないし図１６に示す本発明の第５の実施の形態において、前記本発明の第１の実施の形態と異なる点は、接続紐８の先端部を固定可能に結ぶことができる取付け紐１３を有する伸縮可能なゴム材等で形成された、足７の外周部に取付けることができるリング状の取付け具本体１４を用いた点で、このように形成された取付け具１５を用いてゴルフスイング練習具１Ｄを構成しても、前記本発明の第１の実施の形態と同様な作用効果が得られるとともに、球６を打った時、前記足７に取付けられた前記取付け具１５が伸縮することにより、該足７にかかる負担を軽減することができる。
【００２１】
図１７ないし図１９に示す本発明の第６の実施の形態において、前記本発明の第１の実施の形態と異なる点は、接続紐８の先端部を固定可能に結ぶことができる取付け紐１３を有し、一方の端部側の内側面および他方の端部側の外側面に縫着固定された面ファスナー１１を有する、両端部が重なり合うように足７を覆うことができる帯状の取付け具本体１４Ａを用いた点で、このように形成された取付け具１５Ａを用いてゴルフスイング練習具１Ｅを構成しても、前記本発明の第１の実施の形態と同様な作用効果が得られる。
【００２２】
図２０ないし図２２に示す本発明の第７の実施の形態において、前記本発明の第６の実施の形態と主に異なる点は、接続紐８の先端部に着脱可能に取付けられた足７に着脱可能に結ぶことができる紐状の取付け具本体１４Ｂを用いた点で、このように形成された取付け具１５Ｂを用いてゴルフスイング練習具１Ｆを構成しても、前記本発明の第６の実施の形態と同様な作用効果が得られる。
【００２３】
図２３ないし図２５に示す本発明の第８の実施の形態において、前記本発明の第３の実施の形態と主に異なる点は、ゴム紐５の端部に着脱可能に取付けられた椅子の脚２等に結んで固定することができる紐状の固定具本体９Ｂを用いた点で、このように形成された固定具３Ｂを用いてゴルフスイング練習具１Ｇを構成しても、前記本発明の第３の実施の形態と同様な作用効果が得られる。
【００２４】
図２６ないし図２８に示す本発明の第９の実施の形態において、前記本発明の第１の実施の形態と主に異なる点は、ゴム紐５のほぼ中央部に該ゴム紐５が貫通して位置調整できるように取付けられた合成樹脂材で形成され、内部が中空状態で軽量の球６Ａを用いた点で、このように構成されたゴルフスイング練習具１Ｈにしても、前記本発明の第１の実施の形態と同様な作用効果が得られる。
【００２５】
なお、前記本発明の異なる実施の形態では主に第１の実施の形態を基にして説明したが、本発明はこれに限らず、各実施の形態に使用された部品を組み合わせて使用しても同様な作用効果が得られる。
【００２６】
【発明の効果】
以上の説明から明らかなように、本発明にあっては次に列挙する効果が得られる。
【００２７】
（１）固定物に着脱可能に取付けることができる固定具と、この固定具に取付けられた遊び紐と、この遊び紐の端部に取付けられたゴム紐と、このゴム紐に位置調整可能に取付けられたスイング練習用の球と、前記ゴム紐に取付けられた、使用者の足首部位に着脱可能に取付けることができる接続紐とで構成されているので、打たれた球は接続紐が結ばれた足を移動することにより、打つことができる位置に容易にセットされることができる。
したがって、あちこちに球を集めに行ったり、屈んだり腰を曲げて球を拾うことなく、効率よく楽に練習を続けることができる。
【００２８】
（２）前記（１）によって、固定具を固定物に、接続紐を足に取付けるだけなので、手数や時間をかけずに容易に使用することができる。
したがって、気軽に練習することができるとともに、数多く打つことができるので、正確に球を打つことを短期間に習得でき、コース等で空振りを効率よく防止することができる。
【００２９】
（３）前記（１）によって、打たれた球は一定範囲内で止まるので、周りの人に怪我をさせたり物を壊したりすることなく練習することができる。
したがって、誰でも安全に安心して使用することができる。
【００３０】
（４）請求項２も前記（１）〜（３）と同様な効果が得られる。
【図面の簡単な説明】
【図１】本発明の第１の実施の形態の取付け状態の説明図。
【図２】本発明の第１の実施の形態の球をセットする状態の説明図。
【図３】本発明の第１の実施の形態の斜視図。
【図４】本発明の第１の実施の形態の固定具の説明図。
【図５】図３の５−５線に沿う拡大断面図。
【図６】本発明の第２の実施の形態の取付け状態の説明図。
【図７】本発明の第２の実施の形態の斜視図。
【図８】本発明の第２の実施の形態の固定具の説明図。
【図９】本発明の第３の実施の形態の取付け状態の説明図。
【図１０】図９の１０−１０線に沿う断面図。
【図１１】本発明の第３の実施の形態の斜視図。
【図１２】本発明の第４の実施の形態の取付け状態の説明図。
【図１３】本発明の第４の実施の形態の斜視図。
【図１４】本発明の第５の実施の形態の取付け状態の説明図。
【図１５】図１４の１５−１５線に沿う断面図。
【図１６】本発明の第５の実施の形態の斜視図。
【図１７】本発明の第６の実施の形態の取付け状態の説明図。
【図１８】図１７の１８−１８線に沿う断面図。
【図１９】本発明の第６の実施の形態の斜視図。
【図２０】本発明の第７の実施の形態の取付け状態の説明図。
【図２１】本発明の第７の実施の形態の斜視図。
【図２２】図２０の２２−２２線に沿う断面図。
【図２３】本発明の第８の実施の形態の取付け状態の説明図。
【図２４】図２３の２４−２４線に沿う断面図。
【図２５】本発明の第８の実施の形態の斜視図。
【図２６】本発明の第９の実施の形態の取付け状態の説明図。
【図２７】本発明の第９の実施の形態の斜視図。
【図２８】図２７の２８−２８線に沿う拡大断面図。
【符号の説明】
１、１Ａ〜１Ｈ：ゴルフスイング練習具、
２：椅子の脚、
３、３Ａ、３Ｂ、３Ｃ：固定具、
４：遊び紐、                  ５：ゴム紐、
６、６Ａ：球、                ７：使用者の足、
８：接続紐、
９、９Ａ、９Ｂ、９Ｃ：固定具本体、
１０：結び紐、                １１：面ファスナー、
１２：地面、                  １３：取付け紐、
１４、１４Ａ、１４Ｂ：取付け具本体、
１５、１５Ａ、１５Ｂ：取付け具、
１６：ゴルフクラブ。
【図１】
0003602942.tif 000002
【図２】
0003602942.tif 000003
【図３】
0003602942.tif 000004
【図４】
0003602942.tif 000005
【図５】
0003602942.tif 000006
【図６】
0003602942.tif 000007
【図７】
0003602942.tif 000008
【図８】
0003602942.tif 000009
【図９】
0003602942.tif 000010
【図１０】
0003602942.tif 000011
【図１１】
0003602942.tif 000012
【図１２】
0003602942.tif 000013
【図１３】
0003602942.tif 000014
【図１４】
0003602942.tif 000015
【図１５】
0003602942.tif 000016
【図１６】
0003602942.tif 000017
【図１７】
0003602942.tif 000018
【図１８】
0003602942.tif 000019
【図１９】
0003602942.tif 000020
【図２０】
0003602942.tif 000021
【図２１】
0003602942.tif 000022
【図２２】
0003602942.tif 000023
【図２３】
0003602942.tif 000024
【図２４】
0003602942.tif 000025
【図２５】
0003602942.tif 000026
【図２６】
0003602942.tif 000027
【図２７】
0003602942.tif 000028
【図２８】
0003602942.tif 000029